【手続補正書】
【提出日】平成15年8月19日(2003.8.19)
【手続補正１】
【補正対象書類名】明細書
【補正対象項目名】発明の名称
【補正方法】変更
【補正の内容】
【発明の名称】２重積分方式Ａ／Ｄ変換器の２重積分の方法、並びにこれを用いた電子秤及び脂肪計付きヘルスメータ


【手続補正２】
【補正対象書類名】明細書
【補正対象項目名】特許請求の範囲
【補正方法】変更
【補正の内容】
【特許請求の範囲】
【請求項１】
積分器と制御装置を備える２重積分方式Ａ／Ｄ変換器の２重積分方法において、整数ｍに対し、前記積分器の入力に被測定値を入力し、前記積分器の出力が所定値の時、前記積分器で積分を開始し、所定の入力積分時間の間、積分を行い、前記所定の入力積分時間の経過後、前記積分器の入力を基準値に切り換え、前記積分器で積分を行い、前記積分器の出力が前記所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値とすることを特徴とする２重積分方式Ａ／Ｄ変換器の２重積分の方法。
【請求項２】
積分器と制御装置を備える２重積分方式Ａ／Ｄ変換器の２重積分方法において、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、被測定値をデジタル値に変換することを特徴とする２重積分方式Ａ／Ｄ変換器の２重積分の方法。
【請求項３】
積分器と制御装置を備える２重積分方式Ａ／Ｄ変換器の２重積分方法において、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算して、被測定値をデジタル値に変換することを特徴とする２重積分方式Ａ／Ｄ変換器の２重積分の方法。
【請求項４】
前記制御装置のクロックと前記基準時間発生器のクロックを同期させ、前記積分器の入力を被測定値に切り換えた時点を基準積分時間の終了時で、かつ、入力積分期間の開始時とする請求項１乃至請求項３のいずれかに記載の２重積分方式Ａ／Ｄ変換器の２重積分の方法。
【請求項５】
二つ以上の被測定値を切り換えて前記積分器に入力する場合には、ｍ回の基準積分の最初の数回のカウント値を加算しない請求項１乃至請求項３のいずれかに記載の２重積分方式Ａ／Ｄ変換器の２重積分の方法。
【請求項６】
荷重を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から荷重に比例したデジタル値を得る電子秤において、整数ｍに対し、前記積分器の入力を被測定値に切り換え、前記積分器の出力が所定値の時、前記積分器で積分を開始し、所定の入力積分時間の間、積分を行い、所定の入力積分時間の経過後、前記積分器の入力を基準値に切り換え、前記積分器で積分を行い、前記積分器の出力が所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値とするよう前記制御装置が、前記Ａ／Ｄ変換器を制御することを特徴とする２重積分の方法を用いた電子秤。
【請求項７】
荷重を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から荷重に比例したデジタル値を得る電子秤において、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、被測定値をデジタル値に変換するよう前記制御装置が前記Ａ／Ｄ変換器を制御することを特徴とする２重積分の方法を用いた電子秤。
【請求項８】
荷重を電圧に変換するユニットと、積分器から成る２重積分の方法を用いたＡ／Ｄ変換器と、それを制御する制御装置を備え、制御装置が前記Ａ／Ｄ変換器を制御することにより前記電圧から荷重に比例したデジタル値を得る電子秤において、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算して、被測定値をデジタル値に変換するよう前記制御装置がＡ／Ｄ変換器を制御することを特徴とする２重積分の方法を用いた電子秤。
【請求項９】
前記制御装置のクロックと前記基準時間発生器のクロックを同期させ、前記積分器の入力を被測定値に切り換えた時点を基準積分時間の終了時で、かつ、入力積分期間の開始時とするよう前記制御装置が制御する請求項６乃至請求項８のいずれかに記載の２重積分の方法を用いた電子秤。
【請求項１０】
二つ以上の被測定値を切り換えて前記積分器に入力する場合には、ｍ回の基準積分の最初の数回のカウント値を加算しないよう前記制御装置が前記Ａ／Ｄ変換器を制御する請求項６乃至請求項８のいずれかに記載の２重積分の方法を用いた電子秤。
【請求項１１】
荷重センサ、インピーダンス測定センサの少なくとも一つと、前記センサの出力を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から前記出力に比例したデジタル値を得る脂肪計付きヘルスメータにおいて、整数ｍに対し、前記積分器の入力に被測定値を入力し、積分器の出力が所定値の時、前記積分器で積分を開始し、所定の入力積分時間の間、積分を行い、所定の入力積分時間の経過後、前記積分器の入力を基準値に切り換え、前記積分器で積分を行い、前記積分器の出力が所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値とするよう前記制御装置が前記Ａ／Ｄ変換器を制御することを特徴とする２重積分の方法を用いた脂肪計付きヘルスメータ。
【請求項１２】
荷重センサ、インピーダンス測定センサの少なくとも一つと、前記センサの出力を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から前記出力に比例したデジタル値を得る脂肪計付きヘルスメータにおいて、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、被測定値をデジタル値に変換するよう前記制御装置が前記Ａ／Ｄ変換器を制御することを特徴とする２重積分の方法を用いた脂肪計付きヘルスメータ。
【請求項１３】
荷重センサ、インピーダンス測定センサの少なくとも一つと、センサの出力を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から前記出力に比例したデジタル値を得る脂肪計付きヘルスメータにおいて、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算して、被測定値をデジタル値に変換するよう前記制御装置が前記Ａ／Ｄ変換器を制御することを特徴とする２重積分の方法を用いた脂肪計付きヘルスメータ。
【請求項１４】
前記制御装置のクロックと前記基準時間発生器のクロックを同期させ、前記積分器の入力を被測定値に切り換えた時点を基準積分時間の終了時で、かつ、入力積分期間の開始時とするよう前記制御装置が制御する請求項１１乃至請求項１３のいずれかに記載の２重積分の方法を用いた脂肪計付きヘルスメータ。
【請求項１５】
二つ以上の被測定値を切り換えて前記積分器に入力する場合には、ｍ回の基準積分の最初の数回のカウント値を加算しないよう前記制御装置が前記Ａ／Ｄ変換器を制御する請求項１１乃至請求項１３のいずれかに記載の２重積分の方法を用いた脂肪計付きヘルスメータ。
【請求項１６】
積分器と制御装置を備える２重積分方式Ａ／Ｄ変換器の２重積分方法において、整数ｍに対し、前記積分器の入力に被測定値を入力し、前記積分器の出力が所定値の時、前記積分器で積分を開始し、所定の入力積分時間の間、積分を行い、所定の入力積分時間の経過後、前記積分器の入力を基準値に切り換え、前記積分器で積分を行い、前記積分器の出力が所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値し、前記制御装置のクロックと前記基準時間発生器のクロックを同期させ、前記積分器の入力を被測定値に切り換えた時点を基準積分時間の終了時で、かつ、入力積分期間の開始時とすることを特徴とする２重積分方式Ａ／Ｄ変換器の２重積分の方法。
【請求項１７】
積分器と制御装置を備える２重積分方式Ａ／Ｄ変換器の２重積分方法において、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、被測定値をデジタル値に変換し、前記制御装置のクロックと前記基準時間発生器のクロックを同期させ、前記積分器の入力を被測定値に切り換えた時点を基準積分時間の終了時で、かつ、入力積分期間の開始時とすることを特徴とする２重積分方式Ａ／Ｄ変換器の２重積分の方法。
【請求項１８】
積分器と制御装置を備える２重積分方式Ａ／Ｄ変換器の２重積分方法において、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算して、被測定値をデジタル値に変換し、前記制御装置のクロックと前記基準時間発生器のクロックを同期させ、前記積分器の入力を被測定値に切り換えた時点を基準積分時間の終了時で、かつ、入力積分期間の開始時とすることを特徴とする２重積分方式Ａ／Ｄ変換器の２重積分の方法。
【請求項１９】
二つ以上の被測定値を切り換えて前記積分器に入力する場合には、ｍ回の基準積分の最初の数回のカウント値を加算しない請求項１６乃至請求項１８のいずれかに記載の２重積分方式Ａ／Ｄ変換器の２重積分の方法。
【請求項２０】
荷重を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から荷重に比例したデジタル値を得る電子秤において、整数ｍに対し、前記積分器の入力に被測定値を入力し、前記積分器の出力が所定値の時、前記積分器で積分を開始し、所定の入力積分時間の間、積分を行い、所定の入力積分時間の経過後、前記積分器の入力を基準値に切り換え、前記積分器で積分を行い、前記積分器の出力が所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値とするよう前記制御装置が前記Ａ／Ｄ変換器を制御し、前記制御装置のクロックと前記基準時間発生器のクロックを同期させ、前記積分器の入力を被測定値に切り換えた時点を基準積分時間の終了時で、かつ、入力積分期間の開始時とするよう制御装置が制御することを特徴とする２重積分の方法を用いた電子秤。
【請求項２１】
荷重を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から荷重に比例したデジタル値を得る電子秤において、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、被測定値をデジタル値に変換するよう前記制御装置が前記Ａ／Ｄ変換器を制御し、前記制御装置のクロックと前記基準時間発生器のクロックを同期させ、前記積分器の入力を被測定値に切り換えた時点を基準積分時間の終了時で、かつ、入力積分期間の開始時とするよう制御装置が制御することを特徴とする２重積分の方法を用いた電子秤。
【請求項２２】
荷重を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から荷重に比例したデジタル値を得る電子秤において、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算して、被測定値をデジタル値に変換するよう前記制御装置が前記Ａ／Ｄ変換器を制御し、前記制御装置のクロックと前記基準時間発生器のクロックを同期させ、前記積分器の入力を被測定値に切り換えた時点を基準積分時間の終了時で、かつ、入力積分期間の開始時とするよう制御装置が制御することを特徴とする２重積分の方法を用いた電子秤。
【請求項２３】
二つ以上の被測定値を切り換えて前記積分器に入力する場合には、ｍ回の基準積分の最初の数回のカウント値を加算しないよう前記制御装置がＡ／Ｄ変換器を制御する請求項２０乃至請求項２２のいずれかに記載の２重積分の方法を用いた電子秤。
【手続補正３】
【補正対象書類名】明細書
【補正対象項目名】０００１
【補正方法】変更
【補正の内容】
【０００１】
【発明の属する技術分野】
２重積分方式Ａ／Ｄ変換器の２重積分の方法、並びに、これを用いた電子秤及び脂肪計付きヘルスメータに関し、特に、入力積分と基準積分を複数回、繰り返して行う２重積分の方法、並びに、これを用いた電子秤及び脂肪計付きヘルスメータに関する。


【手続補正４】
【補正対象書類名】明細書
【補正対象項目名】００１４
【補正方法】変更
【補正の内容】
【００１４】
【課題を解決するための手段】
本発明の一つの観点によれば、積分器と制御装置を備える２重積分方式Ａ／Ｄ変換器の２重積分方法において、整数ｍに対し、前記積分器の入力に被測定値を入力し、前記積分器の出力が所定値の時、前記積分器で積分を開始し、所定の入力積分時間の間、積分を行い、前記所定の入力積分時間の経過後、前記積分器の入力を基準値に切り換え、前記積分器で積分を行い、前記積分器の出力が前記所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値とすることを特徴とする２重積分方式Ａ／Ｄ変換器の２重積分の方法が提供される。
本発明の別の観点によれば、積分器と制御装置を備える２重積分方式Ａ／Ｄ変換器の２重積分方法において、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、被測定値をデジタル値に変換することを特徴とする２重積分方式Ａ／Ｄ変換器の２重積分の方法が提供される。
本発明のさらに別の観点によれば、積分器と制御装置を備える２重積分方式Ａ／Ｄ変換器の２重積分方法において、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算して、被測定値をデジタル値に変換することを特徴とする２重積分方式Ａ／Ｄ変換器の２重積分の方法が提供される。
本発明の一つの実施の形態によれば、前記制御装置のクロックと前記基準時間発生器のクロックを同期させ、前記積分器の入力を被測定値に切り換えた時点を基準積分時間の終了時で、かつ、入力積分期間の開始時とする。
本発明の別の実施の形態によれば、二つ以上の被測定値を切り換えて前記積分器に入力する場合には、ｍ回の基準積分の最初の数回のカウント値を加算しない請求項１乃至請求項３のいずれかに記載の２重積分方式Ａ／Ｄ変換器の２重積分の方法。
本発明のさらに別の観点によれば、荷重を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から荷重に比例したデジタル値を得る電子秤において、整数ｍに対し、前記積分器の入力を被測定値に切り換え、前記積分器の出力が所定値の時、前記積分器で積分を開始し、所定の入力積分時間の間、積分を行い、所定の入力積分時間の経過後、前記積分器の入力を基準値に切り換え、前記積分器で積分を行い、前記積分器の出力が所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値とするよう前記制御装置が、前記Ａ／Ｄ変換器を制御することを特徴とする２重積分の方法を用いた電子秤が提供される。
本発明のさらに別の観点によれば、荷重を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から荷重に比例したデジタル値を得る電子秤において、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、被測定値をデジタル値に変換するよう前記制御装置が前記Ａ／Ｄ変換器を制御することを特徴とする２重積分の方法を用いた電子秤が提供される。
本発明のさらに別の観点によれば、荷重を電圧に変換するユニットと、積分器から成る２重積分の方法を用いたＡ／Ｄ変換器と、それを制御する制御装置を備え、制御装置が前記Ａ／Ｄ変換器を制御することにより前記電圧から荷重に比例したデジタル値を得る電子秤において、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算して、被測定値をデジタル値に変換するよう前記制御装置がＡ／Ｄ変換器を制御することを特徴とする２重積分の方法を用いた電子秤が提供される。
本発明の一つの実施の形態によれば、前記制御装置のクロックと前記基準時間発生器のクロックを同期させ、前記積分器の入力を被測定値に切り換えた時点を基準積分時間の終了時で、かつ、入力積分期間の開始時とするよう前記制御装置が制御する。
本発明の別の実施の形態によれば、二つ以上の被測定値を切り換えて前記積分器に入力する場合には、ｍ回の基準積分の最初の数回のカウント値を加算しないよう前記制御装置が前記Ａ／Ｄ変換器を制御する。
本発明のさらに別の観点によれば、荷重センサ、インピーダンス測定センサの少なくとも一つと、前記センサの出力を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から前記出力に比例したデジタル値を得る脂肪計付きヘルスメータにおいて、整数ｍに対し、前記積分器の入力に被測定値を入力し、積分器の出力が所定値の時、前記積分器で積分を開始し、所定の入力積分時間の間、積分を行い、所定の入力積分時間の経過後、前記積分器の入力を基準値に切り換え、前記積分器で積分を行い、前記積分器の出力が所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値とするよう前記制御装置が前記Ａ／Ｄ変換器を制御することを特徴とする２重積分の方法を用いた脂肪計付きヘルスメータが提供される。
本発明のさらに別の観点によれば、荷重センサ、インピーダンス測定センサの少なくとも一つと、前記センサの出力を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から前記出力に比例したデジタル値を得る脂肪計付きヘルスメータにおいて、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、被測定値をデジタル値に変換するよう前記制御装置が前記Ａ／Ｄ変換器を制御することを特徴とする２重積分の方法を用いた脂肪計付きヘルスメータが提供される。
本発明のさらに別の観点によれば、荷重センサ、インピーダンス測定センサの少なくとも一つと、センサの出力を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から前記出力に比例したデジタル値を得る脂肪計付きヘルスメータにおいて、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算して、被測定値をデジタル値に変換するよう前記制御装置が前記Ａ／Ｄ変換器を制御することを特徴とする２重積分の方法を用いた脂肪計付きヘルスメータが提供される。
本発明の一つの実施の形態によれば、前記制御装置のクロックと前記基準時間発生器のクロックを同期させ、前記積分器の入力を被測定値に切り換えた時点を基準積分時間の終了時で、かつ、入力積分期間の開始時とするよう前記制御装置が制御する。
本発明の別の実施の形態によれば、二つ以上の被測定値を切り換えて前記積分器に入力する場合には、ｍ回の基準積分の最初の数回のカウント値を加算しないよう前記制御装置が前記Ａ／Ｄ変換器を制御する。
本発明のさらに別の観点によれば、積分器と制御装置を備える２重積分方式Ａ／Ｄ変換器の２重積分方法において、整数ｍに対し、前記積分器の入力に被測定値を入力し、前記積分器の出力が所定値の時、前記積分器で積分を開始し、所定の入力積分時間の間、積分を行い、所定の入力積分時間の経過後、前記積分器の入力を基準値に切り換え、前記積分器で積分を行い、前記積分器の出力が所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値し、前記制御装置のクロックと前記基準時間発生器のクロックを同期させ、前記積分器の入力を被測定値に切り換えた時点を基準積分時間の終了時で、かつ、入力積分期間の開始時とすることを特徴とする２重積分方式Ａ／Ｄ変換器の２重積分の方法が提供される。
本発明のさらに別の観点によれば、積分器と制御装置を備える２重積分方式Ａ／Ｄ変換器の２重積分方法において、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、被測定値をデジタル値に変換し、前記制御装置のクロックと前記基準時間発生器のクロックを同期させ、前記積分器の入力を被測定値に切り換えた時点を基準積分時間の終了時で、かつ、入力積分期間の開始時とすることを特徴とする２重積分方式Ａ／Ｄ変換器の２重積分の方法が提供される。
本発明のさらに別の観点によれば、積分器と制御装置を備える２重積分方式Ａ／Ｄ変換器の２重積分方法において、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算して、被測定値をデジタル値に変換し、前記制御装置のクロックと前記基準時間発生器のクロックを同期させ、前記積分器の入力を被測定値に切り換えた時点を基準積分時間の終了時で、かつ、入力積分期間の開始時とすることを特徴とする２重積分方式Ａ／Ｄ変換器の２重積分の方法が提供される。
本発明の一つの実施の形態によれば、二つ以上の被測定値を切り換えて前記積分器に入力する場合には、ｍ回の基準積分の最初の数回のカウント値を加算しない。
本発明のさらに別の観点によれば、荷重を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から荷重に比例したデジタル値を得る電子秤において、整数ｍに対し、前記積分器の入力に被測定値を入力し、前記積分器の出力が所定値の時、前記積分器で積分を開始し、所定の入力積分時間の間、積分を行い、所定の入力積分時間の経過後、前記積分器の入力を基準値に切り換え、前記積分器で積分を行い、前記積分器の出力が所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値とするよう前記制御装置が前記Ａ／Ｄ変換器を制御し、前記制御装置のクロックと前記基準時間発生器のクロックを同期させ、前記積分器の入力を被測定値に切り換えた時点を基準積分時間の終了時で、かつ、入力積分期間の開始時とするよう制御装置が制御することを特徴とする２重積分の方法を用いた電子秤が提供される。
本発明のさらに別の観点によれば、荷重を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から荷重に比例したデジタル値を得る電子秤において、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、被測定値をデジタル値に変換するよう前記制御装置が前記Ａ／Ｄ変換器を制御し、前記制御装置のクロックと前記基準時間発生器のクロックを同期させ、前記積分器の入力を被測定値に切り換えた時点を基準積分時間の終了時で、かつ、入力積分期間の開始時とするよう制御装置が制御することを特徴とする２重積分の方法を用いた電子秤が提供される。
本発明のさらに別の観点によれば、荷重を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から荷重に比例したデジタル値を得る電子秤において、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算して、被測定値をデジタル値に変換するよう前記制御装置が前記Ａ／Ｄ変換器を制御し、前記制御装置のクロックと前記基準時間発生器のクロックを同期させ、前記積分器の入力を被測定値に切り換えた時点を基準積分時間の終了時で、かつ、入力積分期間の開始時とするよう制御装置が制御することを特徴とする２重積分の方法を用いた電子秤が提供される。
本発明の一つの実施の形態によれば、二つ以上の被測定値を切り換えて前記積分器に入力する場合には、ｍ回の基準積分の最初の数回のカウント値を加算しないよう前記制御装置がＡ／Ｄ変換器を制御する。


【手続補正５】
【補正対象書類名】明細書
【補正対象項目名】００３６
【補正方法】変更
【補正の内容】
【００３６】
【発明の効果】
請求項１に記載の発明によれば、積分器と制御装置を備える２重積分方式Ａ／Ｄ変換器の２重積分方法において、整数ｍに対し、前記積分器の入力に被測定値を入力し、積分器の出力が所定値の時、前記積分器で積分を開始し、所定の入力積分時間の間、積分を行い、所定の入力積分時間の経過後、前記積分器の入力を基準値に切り換え、前記積分器で積分を行い、前記積分器の出力が所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値とし、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。
請求項２に記載の発明によれば、積分器と制御装置を備える２重積分方式Ａ／Ｄ変換器の２重積分方法において、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。
請求項３に記載の発明によれば、積分器と制御装置を備える２重積分方式Ａ／Ｄ変換器の２重積分方法において、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算し、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。
請求項４に記載の発明によれば、前記制御装置のクロックと前記基準時間発生器のクロックを同期させ、前記積分器の入力を被測定値に切り換えた時点を基準積分時間の終了時で、かつ、入力積分期間の開始時とするので、入力積分時間の誤差をなくすことができ、１回の測定を短い入力積分時間に分けて行うとき生じる計測誤差の割合の増加を抑えることができる。また、基準積分時間は、ｍ回積算しても、その誤差は最大１カウントの範囲内である。
請求項５に記載の発明によれば、二つ以上の被測定値を切り換えて前記積分器に入力する場合には、ｍ回の基準積分の最初の数回のカウント値を加算しないので、切り換え時に生じる被測定値の過渡的な乱れを容易に削除し、正確な値が得ることができる。
請求項６に記載の発明によれば、荷重を電圧に変換するユニットと、積分器から成る２重積分の方法を用いたＡ／Ｄ変換器と、それを制御する制御装置を備え、制御装置が前記Ａ／Ｄ変換器を制御することにより前記電圧から荷重に比例したデジタル値を得る電子秤において、整数ｍに対し、前記積分器の入力に被測定値を入力し、積分器の出力が所定値の時、前記積分器で積分を開始し、所定の入力積分時間の間、積分を行い、所定の入力積分時間の経過後、前記積分器の入力を基準値に切り換え、前記積分器で積分を行い、前記積分器の出力が所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値とするよう前記制御装置が、前記Ａ／Ｄ変換器を制御し、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。
請求項７に記載の発明によれば、荷重を電圧に変換するユニットと、積分器から成る２重積分の方法を用いたＡ／Ｄ変換器と、それを制御する制御装置を備え、制御装置が前記Ａ／Ｄ変換器を制御することにより前記電圧から荷重に比例したデジタル値を得る電子秤において、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、被測定値をデジタル値に変換するよう制御装置がＡ／Ｄ変換器を制御し、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。
請求項８に記載の発明によれば、荷重を電圧に変換するユニットと、積分器から成る２重積分の方法を用いたＡ／Ｄ変換器と、それを制御する制御装置を備え、制御装置が前記Ａ／Ｄ変換器を制御することにより前記電圧から荷重に比例したデジタル値を得る電子秤において、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算して、被測定値をデジタル値に変換するよう前記制御装置がＡ／Ｄ変換器を制御し、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。
請求項９に記載の発明によれば、前記制御装置のクロックと前記基準時間発生器のクロックを同期させ、前記積分器の入力を被測定値に切り換えた時点を基準積分時間の終了時で、かつ、入力積分期間の開始時とするよう制御装置が制御するので、入力積分時間の誤差をなくすことができ、１回の測定を短い入力積分時間に分けて行うとき生じる計測誤差の割合の増加を抑えることができる。また、基準積分時間は、ｍ回積算しても、その誤差は最大１カウントの範囲内である。
請求項１０に記載の発明によれば、二つ以上の被測定値を切り換えて前記積分器に入力する場合には、ｍ回の基準積分の最初の数回のカウント値を加算しないよう制御装置がＡ／Ｄ変換器を制御するので、切り換え時に生じる被測定値の過渡的な乱れを容易に削除し、正確な値が得ることができる。
請求項１１に記載の発明によれば、荷重センサ、インピーダンス測定センサの少なくとも一つと、センサの出力を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から前記出力に比例したデジタル値を得る脂肪計付きヘルスメータにおいて、整数ｍに対し、前記積分器の入力に被測定値を入力し、積分器の出力が所定値の時、前記積分器で積分を開始し、所定の入力積分時間の間、積分を行い、所定の入力積分時間の経過後、前記積分器の入力を基準値に切り換え、前記積分器で積分を行い、前記積分器の出力が所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値とするよう前記制御装置が前記Ａ／Ｄ変換器を制御し、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。
請求項１２に記載の発明によれば、荷重センサ、インピーダンス測定センサの少なくとも一つと、センサの出力を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から前記出力に比例したデジタル値を得る脂肪計付きヘルスメータにおいて、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、被測定値をデジタル値に変換するよう前記制御装置が前記Ａ／Ｄ変換器を制御し、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。
請求項１３に記載の発明によれば、荷重センサ、インピーダンス測定センサの少なくとも一つと、センサの出力を電圧に変換するユニットと、積分器から成る２重積分の方法を用いたＡ／Ｄ変換器と、それを制御する制御装置を備え、前記制御装置が前記Ａ／Ｄ変換器を制御することにより前記電圧から前記出力に比例したデジタル値を得る脂肪計付きヘルスメータにおいて、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算して、被測定値をデジタル値に変換するよう前記制御装置が前記Ａ／Ｄ変換器を制御し、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。
請求項１４に記載の発明によれば、前記制御装置のクロックと前記基準時間発生器のクロックを同期させ、前記積分器の入力を被測定値に切り換えた時点を基準積分時間の終了時で、かつ、入力積分期間の開始時とするよう前記制御装置が制御するので、入力積分時間の誤差をなくすことができ、１回の測定を短い入力積分時間に分けて行うとき生じる計測誤差の割合の増加を抑えることができる。また、基準積分時間は、ｍ回積算しても、その誤差は最大１カウントの範囲内である。
請求項１５に記載の発明によれば、二つ以上の被測定値を切り換えて前記積分器に入力する場合には、ｍ回の基準積分の最初の数回のカウント値を加算しないしないよう前記制御装置が前記Ａ／Ｄ変換器を制御するので、切り換え時に生じる被測定値の過渡的な乱れを容易に削除し、正確な値が得ることができる。
請求項１６に記載の発明によれば、積分器と制御装置を備える２重積分方式Ａ／Ｄ変換器の２重積分方法において、整数ｍに対し、前記積分器の入力に被測定値を入力し、積分器の出力が所定値の時、前記積分器で積分を開始し、所定の入力積分時間の間、積分を行い、所定の入力積分時間の経過後、前記積分器の入力を基準値に切り換え、前記積分器で積分を行い、前記積分器の出力が所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値とし、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。また、前記制御装置のクロックと前記基準時間発生器のクロックを同期させ、前記積分器の入力を被測定値に切り換えた時点を基準積分時間の終了時で、かつ、入力積分期間の開始時とするので、入力積分時間の誤差をなくすことができ、１回の測定を短い入力積分時間に分けて行うとき生じる計測誤差の割合の増加を抑えることができる。また、基準積分時間は、ｍ回積算しても、その誤差は最大１カウントの範囲内である。
請求項１７に記載の発明によれば、積分器と制御装置を備える２重積分方式Ａ／Ｄ変換器の２重積分方法において、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、被測定値をデジタル値に変換し、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。また、前記制御装置のクロックと前記基準時間発生器のクロックを同期させ、前記積分器の入力を被測定値に切り換えた時点を基準積分時間の終了時で、かつ、入力積分期間の開始時とするので、入力積分時間の誤差をなくすことができ、１回の測定を短い入力積分時間に分けて行うとき生じる計測誤差の割合の増加を抑えることができる。また、基準積分時間は、ｍ回積算しても、その誤差は最大１カウントの範囲内である。
請求項１８に記載の発明によれば、積分器と制御装置を備える２重積分方式Ａ／Ｄ変換器の２重積分方法において、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算し、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。前記制御装置のクロックと前記基準時間発生器のクロックを同期させ、前記積分器の入力を被測定値に切り換えた時点を基準積分時間の終了時で、かつ、入力積分期間の開始時とするので、入力積分時間の誤差をなくすことができ、１回の測定を短い入力積分時間に分けて行うとき生じる計測誤差の割合の増加を抑えることができる。また、基準積分時間は、ｍ回積算しても、その誤差は最大１カウントの範囲内である。
請求項１９に記載の発明によれば、二つ以上の被測定値を切り換えて前記積分器に入力する場合には、ｍ回の基準積分の最初の数回のカウント値を加算しないので、切り換え時に生じる被測定値の過渡的な乱れを容易に削除し、正確な値が得ることができる。
請求項２０に記載の発明によれば、荷重を電圧に変換するユニットと、積分器から成る２重積分の方法を用いたＡ／Ｄ変換器と、それを制御する制御装置を備え、制御装置が前記Ａ／Ｄ変換器を制御することにより前記電圧から荷重に比例したデジタル値を得る電子秤において、整数ｍに対し、前記積分器の入力に被測定値を入力し、積分器の出力が所定値の時、前記積分器で積分を開始し、所定の入力積分時間の間、積分を行い、所定の入力積分時間の経過後、前記積分器の入力を基準値に切り換え、前記積分器で積分を行い、前記積分器の出力が所定値になった時に積分を停止し、基準積分時間のカウント値を所定の記憶エリアに加算し、前記２種類の積分をｍ回繰り返し、ｍ回目の前記所定エリア内の基準積分時間のカウント値を前記被測定値のデジタル変換値とするよう前記制御装置が、前記Ａ／Ｄ変換器を制御し、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。また、前記制御装置のクロックと前記基準時間発生器のクロックを同期させ、前記積分器の入力を被測定値に切り換えた時点を基準積分時間の終了時で、かつ、入力積分期間の開始時とするよう制御装置が制御するので、入力積分時間の誤差をなくすことができ、１回の測定を短い入力積分時間に分けて行うとき生じる計測誤差の割合の増加を抑えることができる。また、基準積分時間は、ｍ回積算しても、その誤差は最大１カウントの範囲内である。
請求項２１に記載の発明によれば、荷重を電圧に変換するユニットと、積分器から成る２重積分の方法を用いたＡ／Ｄ変換器と、それを制御する制御装置を備え、制御装置が前記Ａ／Ｄ変換器を制御することにより前記電圧から荷重に比例したデジタル値を得る電子秤において、入力積分を１回、基準積分を１回行って、被測定値をデジタル値に変換する方法に対し、ｍを整数とし、入力積分時間をｍ分割し、ｍ分割した時間の間、入力積分を行い、前記入力積分に対応した基準積分時間のカウント値をｍ回加算し、被測定値をデジタル値に変換するよう制御装置がＡ／Ｄ変換器を制御し、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。また、前記制御装置のクロックと前記基準時間発生器のクロックを同期させ、前記積分器の入力を被測定値に切り換えた時点を基準積分時間の終了時で、かつ、入力積分期間の開始時とするよう制御装置が制御するので、入力積分時間の誤差をなくすことができ、１回の測定を短い入力積分時間に分けて行うとき生じる計測誤差の割合の増加を抑えることができる。また、基準積分時間は、ｍ回積算しても、その誤差は最大１カウントの範囲内である。
請求項２２に記載の発明によれば、荷重を電圧に変換するユニットと、積分器から成る２重積分の方法を用いたＡ／Ｄ変換器と、それを制御する制御装置を備え、制御装置が前記Ａ／Ｄ変換器を制御することにより前記電圧から荷重に比例したデジタル値を得る電子秤において、所定周波数のパルス数Ｎ個分の期間の間、１回入力積分を行い、その後、１回基準積分を行うのに対し、前記所定周波数のパルス数Ｎ／ｍ個分の期間の間、入力積分を行い、その後、基準積分を行い、この入力積分と基準積分をｍ回繰り返し、各回の基準積分期間のカウント数ｎ（ａ）をｍ回分加算して、被測定値をデジタル値に変換するよう前記制御装置がＡ／Ｄ変換器を制御し、１回の変換を十分短い入力積分時間に分けて行うため、積分コンデンサＣの誘電吸収による変換誤差や積分抵抗Ｒ１を大きくすると生じる積分器のバイアス電流や、基板のリーク電流による誤差を少なくすることができる。また、前記制御装置のクロックと前記基準時間発生器のクロックを同期させ、前記積分器の入力を被測定値に切り換えた時点を基準積分時間の終了時で、かつ、入力積分期間の開始時とするよう制御装置が制御するので、入力積分時間の誤差をなくすことができ、１回の測定を短い入力積分時間に分けて行うとき生じる計測誤差の割合の増加を抑えることができる。また、基準積分時間は、ｍ回積算しても、その誤差は最大１カウントの範囲内である。
請求項２３に記載の発明によれば、二つ以上の被測定値を切り換えて前記積分器に入力する場合には、ｍ回の基準積分の最初の数回のカウント値を加算しないよう制御装置がＡ／Ｄ変換器を制御するので、切り換え時に生じる被測定値の過渡的な乱れを容易に削除し、正確な値が得ることができる。